(57)【要約】【課題】  設置場所に制限のある極小規模かつコンパクトな文書細断屑用古紙再生装置で用いられる細断処理機構付ホッパー装置であって、未細断の文書であっても文書細断屑再生装置での再生処理が可能となる細断処理機構付ホッパー装置を提供する。【解決手段】  古紙を離解して再生パルプ懸濁液とするパルパーと該再生パルプ懸濁液から再生紙を抄造する抄紙機を含む文書細断屑用古紙再生装置において用いられる細断処理機構付ホッパー装置であって、細断未処理文書を投入するための第一投入口と、該投入された細断未処理文書を細断して文書細断屑とするための文書細断処理機構と、該文書細断屑を排出させるための排出口と、を含むようにした。【選択図】  図１
2008133559.tif 000002
【特許請求の範囲】
【請求項１】
古紙を離解して再生パルプ懸濁液とするパルパーと該再生パルプ懸濁液から再生紙を抄造する抄紙機を含む文書細断屑用古紙再生装置において用いられる細断処理機構付ホッパー装置であって、
細断未処理文書を投入するための第一投入口と、
該投入された細断未処理文書を細断して文書細断屑とするための文書細断処理機構と、
該文書細断屑を排出させるための排出口と、
を含むことを特徴とする細断処理機構付ホッパー装置。
【請求項２】
予め細断処理された文書細断屑を投入するための第二投入口をさらに有することを特徴とする請求項１記載の細断処理機構付ホッパー装置。
【請求項３】
前記排出口から排出される文書細断屑の所定量を計量する計量手段をさらに有し、所定量の文書細断屑が所定量毎に排出されるようにしたことを特徴とする請求項１又は２記載の細断処理機構付ホッパー装置。
【発明の詳細な説明】
【技術分野】
【０００１】
本発明は、オフィス文書などの古紙を離解して再生パルプ懸濁液とするパルパーと該再生パルプ懸濁液から再生紙を抄造する抄紙機を含むオフィス設置型の文書細断屑用古紙再生装置において用いられる細断処理機構付ホッパー装置に関するものである。
【背景技術】
【０００２】
従来、文書細断屑のリサイクルが充分に図られていないことに鑑み、文書細断屑をトイレットペーパー程度の比較的低い品質の再生紙にリサイクルするのであれば、古紙再生工程の省略化及び装置の小型化・簡略化によって、文書細断屑の再生を企業、官庁、組合、団地或いは地方公共団体等の各組織単位で文書細断屑のリサイクルを可能とし、省資源・省エネルギー化、古紙回収にかかる時間短縮や労力軽減を図るべく、文書細断機によって細断された古紙を攪拌手段を備えたパルパーで離解し再生パルプとする工程と、該再生パルプを常時緩やかに攪拌されているチェストに貯蔵する工程と、該貯蔵された再生パルプを圧力源及び噴射孔を有する噴射装置に充填し、該噴射装置から再生パルプを噴射し、一対のローラを介して回動可能に取りつけられた無端の繊維シートを有する抄紙装置の該繊維シートに吹きかけて再生パルプをシート状にし、該シート状にされた再生パルプを乾燥ローラで乾燥して抄紙する工程とからなる文書細断屑の古紙再生方法が提案されている（特許文献１参照）。
【０００３】
また、本発明者らは、上記提案の実用化する上での種々の問題点を解決すべく、図５に示すような文書細断屑用古紙再生装置を提案した（特許文献２参照）。図５において、文書細断屑用古紙再生装置１は、文書細断屑Ｐを投入するためのホッパー４を有し、槽と槽の内底部に攪拌手段６a，８aを備えた第一パルパー６及び第二パルパー８を含み文書細断機によって細断された古紙を離解して再生パルプ懸濁液Ｐ１，Ｐ２とするパルパー２と、該再生パルプ懸濁液から再生紙を抄造する抄紙機３とからなる文書細断屑用古紙再生装置であって、該抄紙機３のドライヤーパート部４０が、内部中空の筐体４１と、該筐体４１内に少なくとも一部が上下又は左右に交互に配置された複数の回転自在なロール４６ａ，４６ｂ，４６ｃ，４６ｄ，４６ｅ，４６ｆ，４６ｇ，４６ｈ，４６ｉ，４６ｊ，４６ｋ，４６ｌ，４６ｍと、該ロール４６ａ〜４６ｍ間に係回された無端帯状のキャンバス４４とを有する乾燥チャンバー４２、並びに該乾燥チャンバー４２に連通し、該乾燥チャンバー４２内の雰囲気を循環しつつ除湿乾燥するヒートポンプ方式の除湿乾燥機からなるドライヤー５０とから構成されている。符号Ｗは水である。
【０００４】
上記した図５及び特許文献２に記載された文書細断屑用古紙再生装置は会社のオフィスに設置できる程のコンパクト設計であるため、比較的小型で高熱とならず且つ乾燥能力の劣らない新たな抄紙工程のドライヤーパートを実現でき、また、系内の使用水量を最小限とし、併せて、古紙再生工程の省略化及び装置の小型化・簡略化によって、文書細断屑の再生を企業、官庁、組合、団地或いは地方公共団体等の各組織単位で行い得るようにして、焼却・埋め立て処分とされていた文書細断屑をリサイクル可能とし、省資源・省エネルギー化、古紙回収にかかる時間短縮や労力軽減を図ることができるという効果を有する。
【０００５】
しかしながら、上記した図５及び特許文献２に開示されたホッパー４では、予め文書細断機などで細断された文書細断屑を用いることを前提としているため、オフィスで不要となった文書をまず予め文書細断機などで細断する必要があった。
【０００６】
【特許文献１】特開平１０−３１７２９０号公報
【特許文献２】特開２００６−１６９７１０号公報
【発明の開示】
【発明が解決しようとする課題】
【０００７】
本発明は、上記問題点に鑑みてなされたもので、設置場所に制限のある極小規模かつコンパクトな文書細断屑用古紙再生装置で用いられる細断処理機構付ホッパー装置であって、未細断の文書であっても文書細断屑再生装置での再生処理が可能となる細断処理機構付ホッパー装置を提供することを目的とする。
【課題を解決するための手段】
【０００８】
本発明の細断処理機構付ホッパー装置は、古紙を離解して再生パルプ懸濁液とするパルパーと該再生パルプ懸濁液から再生紙を抄造する抄紙機を含む文書細断屑用古紙再生装置において用いられる細断処理機構付ホッパー装置であって、
細断未処理文書を投入するための第一投入口と、
該投入された細断未処理文書を細断して文書細断屑とするための文書細断処理機構と、
該文書細断屑を排出させるための排出口と、
を含むことを特徴とする。
【０００９】
本発明の細断処理機構付ホッパー装置が用いられる文書細断屑用古紙再生装置は、設置場所に制限のある極小規模かつコンパクトな文書細断屑用古紙再生装置であり、一般のオフィスなどに設置が可能なオフィス設置型の文書細断屑用古紙再生装置である。
【００１０】
前記本発明の細断処理機構付ホッパー装置のように構成すれば、従来はオフィスの文書細断機（シュレッダー）で文書を文書細断屑としてから文書細断屑用古紙再生装置で再生処理していたものが、オフィスで不要となった文書を細断未処理のまま文書細断屑用古紙再生装置で再生処理することが可能となる。すなわち、従来の文書細断機の代わりに、本発明の細断処理機構付ホッパー装置を用いた文書細断屑用古紙再生装置をオフィスに設置すれば、不要となった文書を該オフィスで細断処理してそのまま該オフィスで再生紙に再生する再生処理を行うことが可能となる。このようにして、不要となった文書がオフィス内で効率よくリサイクル可能となる。
【００１１】
また、前記本発明の細断処理機構付ホッパー装置には、予め細断処理された文書細断屑を投入するための第二投入口をさらに有する構成とすることも可能である。
【００１２】
このように構成すれば、前記第一投入口には細断未処理文書を投入し、前記第二投入口には予め細断処理された文書細断屑を投入することで、細断処理がされているものも細断処理がされていないものでもいずれも再生処理が可能となる。
【００１３】
さらに、前記排出口から排出される文書細断屑の所定量を計量する計量手段をさらに有し、所定量の文書細断屑が所定量毎に排出されるようにするのが好適である。
【００１４】
このように構成すれば、文書細断屑の所定量を計量して適量をパルパーに投入することができるし、文書細断屑が所定量毎に間欠的にパルパーに投入されることになり、好ましい。計量手段としては、所定量の文書屑を計量することができればよいものであるから、所定重量を検知する計量手段や所定容量を検知する計量手段など種々の計量手段が適用できる。
【発明の効果】
【００１５】
本発明によれば、設置場所に制限のある極小規模かつコンパクトな文書細断屑用古紙再生装置で用いられる細断処理機構付ホッパー装置であって、未細断の文書であっても文書細断屑再生装置での再生処理が可能となる細断処理機構付ホッパー装置を提供することができるという著大な効果を奏する。
【００１６】
したがって、本発明の細断処理機構付ホッパー装置を組み込んだ文書細断屑用古紙再生装置を用いれば、文書細断屑の再生を企業、官庁、組合、団地或いは地方公共団体等の各組織単位で行うことができ、焼却・埋め立て処分とされていた文書細断屑のリサイクルが可能となり、省資源・省エネルギー化、古紙回収にかかる時間短縮や労力軽減を図ることができるという大きな効果を奏する。
【発明を実施するための最良の形態】
【００１７】
以下に本発明の実施の形態を添付図面に基づいて説明するが、図示例は例示的に示されたもので、本発明の技術的思想から逸脱しない限り種々の変形が可能なことは言うまでもない。
【００１８】
図１は本発明の細断処理機構付ホッパー装置の一つの実施の形態を示す概略斜視図、図２は図１の細断処理機構付ホッパー装置の概略右側面図、図３は図１の細断処理機構付ホッパー装置の概略正面図、図４は図１の細断処理機構付ホッパー装置の概略底面図である。
【００１９】
図１〜図４において、符号１００は本発明に係る細断処理機構付ホッパー装置を示す。本発明の細断処理機構付ホッパー装置１００は、上部が開口し中央部が四角状かつ下側が漏斗状に形成された枠体１０４と該枠体の上面を覆うように設けられた上板１０６と、該上板１０６の一部に設けられ細断未処理文書を投入するための第一投入口１０８と、該投入された細断未処理文書を細断して文書細断屑Ｐとするための文書細断処理機構１１０と、該上板１０６の他の一部に設けられ予め細断処理された文書細断屑Ｐを投入するための第二投入口１１２（図示例では枠体１０４の側面に設けられた開口部）と、該枠体１０４の下端に設けられかつ該文書細断屑を排出させるための排出口１１４と、を含む構成とされている。なお、符号１３４は枠体１０４内部に貯留した文書細断屑Ｐを攪拌するためのアジテータである。
【００２０】
符号１０９は、上板１０６に設けられた上部開口部であり、文書細断処理機構１１０で細断された文書が落下せしめられる。文書細断処理機構１１０としては、公知の種々のシュレッダー機構を採用することができる。
【００２１】
図示の例では、予め細断処理された文書細断屑Ｐを投入するための第二投入口１１２を併せて設けた例を示したが、必要に応じて、第二投入口１１２を設けずに第一投入口１０８のみとする構成も採用できる。
【００２２】
排出口１１４には、排出口１１４から排出される文書細断屑Ｐを送り出すためのフィーダ１１７及びフィーダモータ１１８が設けられている。そして、このようにして排出された文書細断屑Ｐの所定量を計量するための計量手段１１６が排出口１１４に接続されている。計量手段１１６は、排出口１１４に接続されかつ文書細断屑の重量を検知するための重量検知手段（図示例ではロードセル）１１９と、該重量検知手段１１９に接合されかつ受皿部１２０を支持するサポート部材１２２と、文書細断屑が所定の重量に達すると該受皿部１２０を起立せしめる偏心カム１２４及びカムモータ１２５と、からなる。
【００２３】
該受皿部１２０に所定量の文書細断屑（例えば３０グラム、５０グラム、１００グラム等に設定）が貯留したのを重量検知手段１１８が検知すると、該受皿部１２０が偏心カム１２４を支点として起立せしめられ、受皿部１２０内の文書細断屑が、パルパー１２６内へと供給される。符号１３０はパルパー１２６を駆動させるためのパルパモーターである。なお、符号１３２は文書細断屑がこぼれ落ちるのを防ぐためにパルパー１２６に取付けられたガイドであり、必要に応じて取付ければよい。
【００２４】
以上述べた如くの本発明に係る細断処理機構付ホッパー装置１００を、図５に示されるような、槽と槽の内底部に攪拌手段を備え、文書細断機によって細断された古紙を離解して再生パルプ懸濁液とするパルパーと、該再生パルプ懸濁液から再生紙を抄造する抄紙機とからなる文書細断屑用古紙再生装置（特許文献２参照）におけるホッパーの部分で用いるようにすれば、不要となった文書を該オフィスで細断処理してそのまま該オフィスで再生紙に再生する再生処理を行うことが可能となる。
【図面の簡単な説明】
【００２５】
【図１】本発明の細断処理機構付ホッパー装置の一つの実施の形態を示す概略斜視図である。
【図２】図１の細断処理機構付ホッパー装置の概略右側面図である。
【図３】図１の細断処理機構付ホッパー装置の概略正面図である。
【図４】図１の細断処理機構付ホッパー装置の概略底面図である。
【図５】従来の文書細断屑用古紙再生装置の概略図である。
【符号の説明】
【００２６】
１：文書細断屑用古紙再生装置、２：パルパー、３：抄紙機、４：ホッパー、６：第１パルパー、８：第２パルパー、６a，８a：攪拌手段、４０：ドライヤーパート部、４１：筐体、４２：乾燥チャンバー、４４：キャンバス、４６ａ，４６ｂ，４６ｃ，４６ｄ，４６ｅ，４６ｆ，４６ｇ，４６ｈ，４６ｊ，４６ｋ，４６ｌ，４６ｍ：ロール、５０：ドライヤー、Ｐ：文書細断屑、Ｐ１，Ｐ２：再生パルプ懸濁液、Ｗ：水、１００：細断処理機構付ホッパー装置、１０４：枠体、１０６：上板、１０８：第一投入口、１０９：上部開口部、１１０：文書細断処理機構、１１２：第二投入口、１１４：排出口、１１６：計量手段、１１７：フィーダ、１１８：フィーダモータ、１１９：重量検知手段、１２０：受皿部、１２２：サポート部材、１２４：偏心カム、１２５：カムモータ、１２６：パルパー、１３０：パルパモーター、１３２：ガイド、１３４：アジテータ。
【図１】
2008133559.tif 000003
【図２】
2008133559.tif 000004
【図３】
2008133559.tif 000005
【図４】
2008133559.tif 000006
【図５】
2008133559.tif 000007